【手続補正書】
【提出日】平成17年2月7日(2005.2.7)
【手続補正１】
【補正対象書類名】特許請求の範囲
【補正対象項目名】全文
【補正方法】変更
【補正の内容】
【特許請求の範囲】
【請求項１】
γ線を検出する複数のセンサから出力されるγ線の検出信号を処理して機能画像を作成する核医学診断装置におけるγ線の検出時刻の決定方法であって、
前記センサから出力されるγ線の検出信号に基づいて、γ線のエネルギを決定し、
前記γ線の検出信号及び前記γ線のエネルギに基づいて、γ線の検出時刻を決定するγ線の検出時刻決定方法。
【請求項２】
γ線を検出する複数のセンサから出力されるγ線の検出信号を処理して機能画像を作成する核医学診断装置におけるγ線の検出時刻の決定方法であって、
前記センサから出力されるγ線の検出信号に基づいて、γ線の検出時刻を測定する工程と、
前記γ線検出信号に基づいて、γ線のエネルギを決定する工程と、
前記エネルギに基づいて、測定された前記検出時刻を補正する工程と
を有するγ線の検出時刻決定方法。
【請求項３】
γ線を検出する複数のセンサから出力されるγ線の検出信号を処理して機能画像を作成する核医学診断装置におけるγ線の検出時刻の決定方法であって、
前記センサから出力されるγ線の検出信号に基づいて、γ線の検出時刻を測定する工程と、
前記γ線検出信号に基づいて、γ線のエネルギを決定する工程と、
前記エネルギに対応する検出時刻の補正値を用いて、測定された前記検出時刻を補正する工程と
を有するγ線の検出時刻決定方法。
【請求項４】
γ線を検出する複数のセンサから出力されるγ線の検出信号を処理して機能画像を作成する核医学診断装置におけるγ線の同時計数方法であって、
前記センサから出力されるγ線の検出信号に基づいて、γ線のエネルギを決定し、
前記γ線の検出信号及び前記γ線のエネルギに基づいて、γ線の検出時刻を決定し、
前記検出時刻によりγ線の同時計数を行うγ線の同時計数方法。
【請求項５】
γ線を検出する複数のセンサから出力されるγ線の検出信号を処理して機能画像を作成する核医学診断装置におけるγ線の同時計数方法であって、
前記センサから出力されるγ線の検出信号に基づいて、γ線の検出時刻を測定する工程と、
前記γ線検出信号に基づいて、γ線のエネルギを決定する工程と、
前記エネルギに基づいて、測定された前記検出時刻を補正する工程と、
前記補正工程により得られた検出時刻によりγ線の同時計数を行う工程と
を有するγ線の同時計数方法。
【請求項６】
γ線を検出する複数のセンサから出力されるγ線の検出信号を処理して機能画像を作成する核医学診断装置におけるγ線の同時計数方法であって、
前記センサから出力されるγ線の検出信号に基づいて、γ線の検出時刻を測定する工程と、
前記γ線検出信号に基づいて、γ線のエネルギを決定する工程と、
前記エネルギに対応する検出時刻の補正値を用いて、測定された前記検出時刻を補正する工程と、
前記補正工程により得られた検出時刻によりγ線の同時計数を行う工程と
を有するγ線の同時計数方法。
【請求項７】
前記γ線の同時計数を行う工程は、
前記補正工程によって得られた検出時刻の差が、所定の時間窓よりも小さいときに、同時と判定することである請求項５または請求項６に記載のγ線の同時計数方法。
【請求項８】
前記検出時刻の補正値は、γ線のエネルギが低いほど、前記検出時刻から減算される前記補正値が大きくなるように関係付けられている請求項６に記載のγ線の同時計数方法。
【請求項９】
前記補正工程によって得られたγ線の前記検出時刻、及び決定された前記エネルギに基づいて、検出した前記γ線を散乱線として同時計数の対象とするか否かを判断し、前記同時計数を行う請求項５ないし請求項８のいずれか１項に記載のγ線の同時計数方法。
【請求項１０】
決定された前記エネルギが、所定の閾値以下の場合は、当該γ線を同時計数の対象から除いて前記同時計数を行う請求項５ないし請求項９のいずれか１項に記載のγ線の同時計数方法。
【請求項１１】
γ線を検出する複数のセンサと、
前記センサから出力されるγ線の検出信号に基づいて、γ線のエネルギを決定する手段と、
前記γ線の検出信号及び前記γ線のエネルギに基づいて、γ線の検出時刻を決定する手段と、
前記検出時刻によりγ線の同時計数を行う手段と
を備える核医学診断装置。
【請求項１２】
γ線を検出する複数のセンサと、
前記センサから出力されるγ線の検出信号に基づいて、γ線の検出時刻を測定する手段と、
前記γ線の検出信号に基づいて、γ線のエネルギを決定する手段と、
前記エネルギに基づいて、測定された前記検出時刻を補正する手段と、
前記補正手段により得られた検出時刻によりγ線の同時計数を行う手段と
を備える核医学診断装置。
【請求項１３】
γ線を検出する複数のセンサと、
前記センサから出力されるγ線の検出信号に基づいて、γ線の検出時刻を測定する手段と、
前記γ線の検出信号に基づいて、γ線のエネルギを決定する手段と、
前記エネルギに対応する検出時刻の補正値を用いて、測定された前記検出時刻を補正する手段と、
前記補正手段により得られた検出時刻によりγ線の同時計数を行う手段と
を備える核医学診断装置。
【請求項１４】
前記同時計数を行う手段は、
前記補正手段によって得られた検出時刻の差が、所定の時間窓よりも小さいときに、同時と判定して同時計数を行う手段である請求項１２または請求項１３に記載の核医学診断装置。
【請求項１５】
γ線の前記検出時刻と前記エネルギに基づいて、検出した前記γ線を散乱線として同時計数の対象とするか否かの判断を行う手段
を備える請求項１１ないし請求項１４のいずれか１項に記載の核医学診断装置。
【請求項１６】
γ線のエネルギが、所定の閾値以下の場合は、当該γ線を同時計数の対象から除く手段
を備える請求項１１ないし請求項１５のいずれか１項に記載の核医学診断装置。
【請求項１７】
γ線を検出する複数のセンサと、
前記センサから出力されるγ線の検出信号に基づいて、γ線のエネルギを決定し、前記γ線の検出信号及び前記γ線のエネルギに基づいて、γ線の検出時刻を決定する信号処理装置と、
前記決定された検出時刻によりγ線の同時計数を行う手段と
を備える請求項１１ないし請求項１６のいずれか１項に記載の核医学診断装置。
【手続補正２】
【補正対象書類名】明細書
【補正対象項目名】発明の名称
【補正方法】変更
【補正の内容】
【発明の名称】γ線の検出時刻決定方法、γ線の同時計数方法、及び核医学診断装置
【手続補正３】
【補正対象書類名】明細書
【補正対象項目名】０００１
【補正方法】変更
【補正の内容】
【０００１】
本発明は、ＰＥＴ（Positron Emission Tomography）のような核医学診断装置における、γ線（ガンマ線）の検出時刻の決定方法、同時計数を行う方法、及び核医学診断装置に関する。
【手続補正４】
【補正対象書類名】明細書
【補正対象項目名】０００６
【補正方法】変更
【補正の内容】
【０００６】
前記課題を解決した本発明（第1の観点の発明）のγ線の同時計数方法は、γ線を検出するセンサから出力されるγ線の検出信号に基づいて、γ線のエネルギを決定し、前記γ線の検出信号及び前記γ線のエネルギに基づいて、γ線の検出時刻を決定し、前記検出時刻によりγ線の同時計数を行うこと、を特徴とする。
前記課題を解決した本発明（第２の観点の発明）のγ線の同時計数方法は、γ線を検出するセンサから出力されるγ線の検出信号に基づいて、γ線の検出時刻を測定する工程と、前記γ線検出信号に基づいて、γ線のエネルギを決定する工程と、前記エネルギに基づいて、測定された前記検出時刻を補正する工程と、前記補正工程により得られた検出時刻によりγ線の同時計数を行う工程とを有することを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
本発明によれば、次のような顕著な効果を奏することができる。
すなわち、本発明（第１の観点の発明）のγ線の同時計数方法によれば、検出したγ線のエネルギに応じてγ線の検出時刻を決定するので、喩え時間窓の広さが同じでも、幅広いエネルギ範囲のγ線の同時計数を正しく行うことができる。また、例えば時間窓の広さを狭い範囲に設定することができるので、偶発的に検出される他のγ線の影響を極力排除することが可能になる。
本発明（第２の観点の発明）のγ線の同時計数方法によれば、検出したγ線のエネルギに応じてγ線の検出時刻を補正するので、喩え時間窓の広さが同じでも、幅広いエネルギ範囲のγ線の同時計数を正しく行うことができる。また、例えば時間窓の広さを狭い範囲で一定にすることができるので、偶発的に検出される他のγ線の影響を極力排除することが可能になる。
【手続補正７】
【補正対象書類名】明細書
【補正対象項目名】０００９
【補正方法】削除
【補正の内容】